(57)【特許請求の範囲】
【請求項１】
乾燥すべき衣類を収容するための回転ドラムと、モータの回転軸に取り付けられたモータプーリーと、回転ドラムとモータプーリーとの間に架け渡されてモータから回転ドラムへ回転力を伝達するためのベルトと、ベルトにテンションを付与するためのベルトテンション機構とを備え、
上記ベルトテンション機構は、１本の線材を折り曲げ形成したテンションアームと、テンションアームの先端部となるプーリー支持部に回転自在に支持されてベルトに圧接されるテンションプーリーとを有し、
上記テンションアームは、回転ドラムの回転時にテンションプーリーがベルトに対して水平姿勢となるように、ベルトの回転面と平行に延びる平行部から折り曲げ形成されたプーリー支持部の折り曲げ角度が９０°よりも小さい角度に設定されている衣類乾燥機。
【請求項２】
請求項１に記載の衣類乾燥機において、
上記テンションアームにおけるプーリー支持部を形成する折り曲げ角度は、８０°以上８８°以下に設定されている衣類乾燥機。
【請求項３】
請求項１又は２に記載の衣類乾燥機において、
上記テンションアームは、１本の線材を略コ字状に折り曲げ形成したものからなり、線材の一端側から他端側へ順に、ねじり弾性力を発生させる操作部を有し他部材に取り付けられる固定部と、ベルトの回転面と平行に延びる平行部を有し固定部から折り曲げ形成された中間部と、中間部の平行部から折り曲げ形成されてテンションプーリーを回転自在に支持するプーリー支持部とが形成されている衣類乾燥機。
【発明の詳細な説明】
【技術分野】
【０００１】
本発明は、回転ドラムを回転駆動させるためのベルトに張力を付与するベルトテンション機構を備える衣類乾燥機に関する。
【背景技術】
【０００２】
従来、この種の衣類乾燥機は、衣類を収容する回転ドラムとモータ回転軸に取り付けたモータプーリーとの間に架け渡したベルトに対して張力を付与するベルトテンション機構を備えている（特許文献１、特許文献２、特許文献３）。図５を参照して、ベルトテンション機構１０７は、テンションアーム１７２の先端部となるプーリー支持部１７３にテンションプーリー１７１を回転自在に支持し、テンションプーリー１７１をベルト３に圧接させ、テンションアーム１７２のねじり弾性力によりベルト３にテンションを付与する構成としている。図６を参照して、テンションアーム１７２は、１本の線材を略コ字状に折り曲げ形成したものであって、モータ５を配設するモータ支持台６に取り付けられる固定部１７５と、固定部１７５から折り曲げ形成されてベルト３と平行に延びる中間部１７４と、中間部１７４から折り曲げ形成されてテンションプーリー１７１を回転自在に支持するプーリー支持部１７３とからなる。プーリー支持部１７３は、ベルト３に対して直交するようにベルト３と平行に延びた中間部１７４との間の折り曲げ角度Ａが９０°に設定され、このプーリー支持部１７３に支持するテンションプーリー１７１を水平状態にしてベルト３に圧接させている。
【先行技術文献】
【特許文献】
【０００３】
【特許文献１】特開昭６３−１４９４５５号公報
【特許文献２】実開昭５８−８０６５４号公報
【特許文献３】実開昭５３−１０６５７４号公報
【発明の概要】
【発明が解決しようとする課題】
【０００４】
上記構成のテンションアーム１７２では、テンションプーリー１７１を支持するプーリー支持部１７３は先端側が自由端となっている。このようなベルトテンション機構１０７は、ベルト３の張力に対してテンションプーリー１７１を介しテンションアーム１７２を押し付けているため、この押し付けの反力によりテンションプーリー１７１にモーメントがかかり、さらに、回転ドラム２の回転時に、テンションプーリー１７１がベルト３から負荷を受けると、テンションアーム１７２が外側に開く傾向となる。このテンションアーム１７２の開きが大きいと、テンションプーリー１７１が水平状態から大きく傾いた状態となることがあった（図５中、一点鎖線で示す部分を参照）。このようにテンションプーリー１７１が大きく傾いた状態となると、モータプーリー５２に架けたベルト３が正規の位置から横方向（図５中、白矢印）に位置ずれしてモータプーリー５２の端部フランジに乗り上げた状態に保持されることがあった。すると、ベルト端面がモータプーリー５２の端部フランジと接触して擦れることで、異音が発生し、ベルト３が削れて早期に磨耗するといった問題があった。
【０００５】
本発明は、上記事情に鑑みてなされたものであり、回転ドラムの回転時にテンションプーリーが傾くことによってベルトがモータプーリーの正規位置から位置ずれするのを防止することが可能な衣類乾燥機を提供することを目的とする。
【課題を解決するための手段】
【０００６】
本願発明において、ベルトテンション機構は、ベルトの張力に対してテンションプーリーを介しテンションアームを押し付けているため、この押し付けの反力によりテンションプーリーにモーメントがかかり、さらに回転ドラムの回転力が負荷されることで、これらの力が釣り合った位置でテンションプーリーが回転することに着目し、このような力の釣り合った状態でテンションプーリーがベルトに対して傾斜せずに水平姿勢を保持するように、テンションアームの曲げ形状を工夫したものである。
すなわち、本発明に係る衣類乾燥機は、
乾燥すべき衣類を収容するための回転ドラムと、モータの回転軸に取り付けられたモータプーリーと、回転ドラムとモータプーリーとの間に架け渡されてモータから回転ドラムへ回転力を伝達するためのベルトと、ベルトにテンションを付与するためのベルトテンション機構とを備え、
上記ベルトテンション機構は、１本の線材を折り曲げ形成したテンションアームと、テンションアームの先端部となるプーリー支持部に回転自在に支持されてベルトに圧接されるテンションプーリーとを有し、
上記テンションアームは、回転ドラムの回転時にテンションプーリーがベルトに対して水平姿勢となるように、ベルトの回転面と平行に延びる平行部から折り曲げ形成されたプーリー支持部の折り曲げ角度が９０°よりも小さい角度に設定されている。
【０００７】
これにより、回転ドラムの回転時にテンションプーリーがベルトから押し戻される負荷を受けても、プーリー支持部を形成するテンションアームの折り曲げ部分での弾性作用によって、テンションプーリーは大きく傾くことなく略水平姿勢を保持することができる。従って、回転ドラムの回転時にテンションプーリーが傾いてベルトがモータプーリーの正規位置から横ずれを起こしてモータプーリーの端部フランジに接触することが防止される。
【０００８】
また、ベルトが外乱によってモータプーリーの端部フランジに乗り上げる方向に力を受けた場合でも、折り曲げ角度が９０°よりも小さい角度で形成されたプーリー支持部に支持されたテンションプーリーによって、横ずれしたベルトにはモータプーリーの正規位置に戻ろうとする力が作用し、ベルトがモータプーリーの端部フランジに乗り上げた状態に保持されることが防止される。
【０００９】
上記テンションアームにおけるプーリー支持部を形成する折り曲げ角度は、８０°以上８８°以下に設定されていることが望ましい。
上記折り曲げ角度の範囲内であれば、回転ドラムの回転時にテンションプーリーがベルトに対して水平姿勢を保持することができる。
【００１０】
上記テンションアームは、１本の線材を略コ字状に折り曲げ形成したものからなり、線材の一端側から他端側へ順に、ねじり弾性力を発生させる操作部を有し他部材に取り付けられる固定部と、ベルトの回転面と平行に延びる平行部を有し固定部から折り曲げ形成された中間部と、中間部の平行部から折り曲げ形成されてテンションプーリーを回転自在に支持するプーリー支持部とが形成されているものとすることができる。
【発明の効果】
【００１１】
以上のように、本発明に係る衣類乾燥機によれば、回転ドラムの回転時にベルトが横ずれを起こすことなくモータプーリーの正規位置に保持される。従って、ベルトがモータプーリーの端部フランジに接触して擦れることで異音を出したりベルトが削れて磨耗することが防止され、衣類乾燥機の運転性能を向上することができる。
【図面の簡単な説明】
【００１２】
【図１】実施形態による衣類乾燥機の内部構造を示す断面図である。
【図２】ベルトテンション機構となるテンションプーリー及びテンションアームを示す正面図である。
【図３】ベルトテンション機構の設置部分にあってベルトテンション機構の設置側から見た斜視図である。
【図４】ベルトテンション機構の設置部分にあってベルトテンション機構を設置した側の反対側から見た斜視図である。
【図５】従来の衣類乾燥機におけるベルトテンション機構の設置部分を示す模式図である。
【図６】従来の衣類乾燥機におけるベルトテンション機構となるテンションプーリー及びテンションアームを示す正面図である。
【発明を実施するための形態】
【００１３】
以下に、本発明の実施形態について添付図面を参照しながら説明する。
図１に示すように、衣類乾燥機１は、本体１０内には乾燥すべき衣類を収容するための回転ドラム２が回転自在に設けられ、回転ドラム２の後方にはファン４が配設されている。本体１０の前面には扉１１が開閉自在に取り付けられており、この扉１１を開けて回転ドラム２内へ衣類を出し入れすることができる。本体１０内の底部には、回転ドラム２とファン４とを回転させるためのモータ５が設けられている。モータ５の回転軸５１は、モータ５の前後に突出され、前方に突出する回転軸５１にはモータプーリー５２が取り付けられ、後方に突出する回転軸５１にはファン用プーリー４１が取り付けられている。モータプーリー５２と回転ドラム２の外周との間にはベルト３が架け渡されるとともに、このベルト３はベルトテンション機構７によりテンションが付与されている。ファン用プーリー４１とファン４との間にはファンベルト４２が架け渡されている。また、本体１０内には、図示しないが、ガスバーナ又はヒータで構成した加熱手段が設けられている。そして、乾燥運転を開始して加熱手段を作動しモータ５を回転駆動すると、モータ５の回転力によりベルト３を介して回転ドラム２が回転されるとともにファンベルト４２を介してファン４が回転される。すると、加熱手段により温められた空気が回転ドラム２内に前方から吹き込まれ、衣類と熱交換した後、この湿気を含んだ空気が回転ドラム２の後方から排気通路４３を経て、本体１０の上部の排気口４４から排気される。これによって、衣類が乾燥される。
【００１４】
次に、上記ベルトテンション機構７について説明する。
図３、図４も参照して、ベルトテンション機構７は、１本の線材を折り曲げ形成したテンションアーム７２と、テンションアーム７２の先端部となるプーリー支持部７３に回転自在に支持されてベルト３に圧接されるテンションプーリー７１とを備える。
【００１５】
テンションプーリー７１は、モータプーリー５２の近傍の上方でベルト３を外側から圧接する。このテンションプーリー７１は、両端から中央に向かうに従って径小となった鼓型形状を有し、プーリー支持部７３の軸線上で移動しないように両端部が止め輪７１ａやプーリー支持部７３に部分的につぶし加工等で形成した突起７１ｂ等の係止手段で保持されている（図２参照）。従って、テンションプーリー７１がプーリー支持部７３の軸線上で移動してベルト３の位置を移動させることもない。
【００１６】
テンションアーム７２は、自身のねじり弾性力によりテンションプーリー７１をベルト３に圧接させてベルト３にテンションを付与する。図２に示すように、テンションアーム７２は、１本の線材を略コ字状に折り曲げ形成したものからなり、線材の一端側から他端側へ順に、モータ支持台６に取り付けられる固定部７５と、固定部７５から折り曲げ形成された中間部７４と、中間部７４から折り曲げ形成されてテンションプーリー７１を回転自在に支持するプーリー支持部７３とが形成されている。
【００１７】
テンションアーム７２は、モータ５を配設するモータ支持台６に取り付けられている。このモータ支持台６は、底板６１に、前側板６２、後側板６３、左側板６４及び右側板６５が形成されている（図３、図４参照）。前側板６２の端部には切欠溝６２ａ（図３参照）が形成され、後側板６３の端部にはＬ字溝６３ａ（図４参照）が形成されている。そして、テンションアーム７２をこれら切欠溝６２ａ及びＬ字溝６３ａに挿し込んで、テンションアーム７２の固定部７５を切欠溝６２ａとＬ字溝６３ａとの間に配置させることで、テンションアーム７２がモータ支持台６に取り付けられる。その際、テンションアーム７２の固定部７５の後端部には、フック状に折り曲げられ、且つねじり曲げされた操作部７５ａを有し、この操作部７５ａをＬ字溝６３ａの上端に係止させる（図４参照）。これにより、テンションプーリー７１をベルト３に圧接すると、テンションアーム７２は、固定部７５を回転軸線として下方へ向けたねじり弾性力が発生される。なお、テンションアーム７２は、切欠溝６２ａとＬ字溝６３ａとの各位置で折れ曲がっているので、固定部７５の軸線方向にガタ付くことはない。
【００１８】
テンションアーム７２の中間部７４は、斜め部７４ｂと平行部７４ａとを有し、平行部７４ａは、ベルト３と平行に延びている。プーリー支持部７３は、平行部７４ａから折り曲げ形成され、平行部７４ａとの間でなす折り曲げ角度αが９０°よりも小さい角度に設定されている（図２参照）。具体的に、プーリー支持部７３と平行部７４ａとの間の折り曲げ角度αは、８５°に設定されている。ただし、この折り曲げ角度αは、８０°以上８８°以下に設定することができる。この範囲内で折り曲げ角度αが設定されれば、後述するとおり、回転ドラム２の回転時にテンションプーリー７１がベルト３に対して水平姿勢を保持することができる。すなわち、折り曲げ角度αが８８°を超えると、回転ドラム２の回転時にテンションプーリー７１が水平状態から傾いた状態となり、一方、折り曲げ角度αが８０°未満となると、ベルト３がテンションプーリー７１から脱落するおそれがある。
【００１９】
以上の構成によれば、テンションアーム７２のプーリー支持部７３を形成する折り曲げ角度αが９０°よりも小さい角度に設定されているので、このプーリー支持部７３の折り曲げ部分での弾性作用によって、テンションプーリー７１は、ベルト３に対してプーリー支持部７３先端側が水平位置から下方への押圧力が増す傾向となる。そして、回転ドラム２の回転時に、テンションプーリー７１がベルト３から押し戻される負荷を受け、テンションアーム７２の中間部７４における平行部７４ａが外側に開き気味となっても、プーリー支持部７３を形成するテンションアーム７２の折り曲げ部分での弾性作用によって、テンションプーリー７１は大きく傾くことなく水平姿勢を保持することができる。
【００２０】
また、テンションアーム７２は、中間部７４において平行部７４ａと斜め部７４ｂとの間、斜め部７４ｂと固定部７５との間の２箇所に折り曲げ部を有し、また、斜め部７４ｂと固定部７５との境目がモータ支持台６の切欠溝６２ａに位置した固定点となっている。このことから、回転ドラム２の回転時においてテンションアーム７２が開き気味となることが抑えられる。また、組み付け時にテンションアーム７２が若干変形する等のバラツキがあっても、テンションプーリー７１は大きく傾くことなく水平姿勢を保持することができる。
【００２１】
従って、回転ドラム２の回転時にテンションプーリー７１が傾いてベルト３がモータプーリー５２の正規位置から横ずれを起こしてモータプーリー５２の端部フランジに接触することが防止される。
【００２２】
また、ベルト３が外乱によってモータプーリー５２の端部フランジに乗り上げる方向に力を受けた場合でも、折り曲げ角度αが９０°よりも小さい角度で形成されたプーリー支持部７３に支持されたテンションプーリー７１によって、横ずれしたベルト３にはモータプーリー５２の正規位置に戻ろうとする力が作用し、ベルト３がモータプーリー５２の端部フランジに乗り上げた状態のまま保持されることが防止される。また、テンションプーリー７１が鼓型形状を有するので、ベルト３が横ずれし難くなっている。
【００２３】
従って、本衣類乾燥機１によれば、回転ドラム２の回転時にベルト３が横ずれを起こすことなくモータプーリー５２の正規位置に保持される。その結果、ベルト３がモータプーリー５２の端部フランジに接触して擦れることで異音を出したりベルト３が削れて磨耗することが防止され、衣類乾燥機１の運転性能を向上することができる。
【００２４】
なお、本発明は、上記実施形態のみに限定されず、本発明の要旨を変更しない範囲で各種変更することができる。例えば、テンションアーム７２は、本体１０の底部や本体１０に設けた取付部等の他部材に取り付けるようにしてもよい。テンションアーム７２の中間部７４は、斜め部７４ｂを形成せず平行部７４ａだけで形成してよいし、また、テンションアーム７２の全体形状として、略コ字状に折り曲げ形成したものに限らず、略Ｚ字状に折り曲げ形成したものでもよい。また、テンションプーリー７１の形状も、鼓型形状に限らず、円筒形状、太鼓型形状等の形状としてもよい。
【符号の説明】
【００２５】
１  衣類乾燥機
２  回転ドラム
３  ベルト
５  モータ
６  モータ支持台
７  ベルトテンション機構
１０  本体
５１  モータ回転軸
５２  モータプーリー
７１  テンションプーリー
７２  テンションアーム
７３  プーリー支持部
７４  中間部
７４ａ  平行部
７４ｂ  斜め部
７５  固定部
７５ａ  操作部
α  折り曲げ角度
【図１】
0005604459.tif 000002
【図２】
0005604459.tif 000003
【図３】
0005604459.tif 000004
【図４】
0005604459.tif 000005
【図５】
0005604459.tif 000006
【図６】
0005604459.tif 000007